(57)【特許請求の範囲】
【請求項１】
容器本体と、上記容器本体の上面を蓋する蓋体と、上記容器本体の後端部と蓋体の後端部をヒンジ連結するヒンジ軸と、上記容器本体と蓋体との間に配設され後端部が上記ヒンジ軸に回動自在に取付けられた中皿を備え、上記容器本体の上面に化粧料収容凹部を形成するとともに、上記中皿の上面に化粧具等の収容凹部を形成し、上記容器本体の前壁面に上面開放状の凹部を形成し、この凹部の底面を奥に向かって上り傾斜の上向きテーパ面に形成し、上記凹部の奥面に係合部を設け、蓋体の裏面の前端部に上記係合部に係合する被係合部を設け、上記中皿の前壁から、側断面略Ｓ字状に形成された弾性片を突設させ、この弾性片のＳ字状の根元側端部を上記中皿の前壁の下端部から延ばし、上記弾性片のＳ字状の根元側部分に上記蓋体の被係合部が通過しうる穴を穿設し、上記弾性片のＳ字状の前側垂下片の下端部を上記容器本体の前壁面に形成された凹部の底面に弾接させたことを特徴とするコンパクト。
【発明の詳細な説明】
【０００１】
【発明の属する技術分野】
この発明は、前面を押すことにより自動的に開蓋することのできるコンパクトに関するものである。
【０００２】
【従来の技術】
従来から、化粧料とパフ等の化粧具とを一緒に収容できるようにしたコンパクトとして、図２０に示すものがある。このコンパクトは、上面に化粧料収容凹部３１ａが形成された容器本体３１と、この容器本体３１の上面を蓋する蓋体３２と、上面にパフ４１等の収容凹部３３ａが形成された中皿３３を備えており、容器本体３１の後端部３１ｂに設けたヒンジ軸３４に蓋体３２の後端部３２ａをヒンジ連結するとともに、このヒンジ軸３４に中皿３３の後端部３３ｂをヒンジ連結して構成している。また、容器本体３１の前壁面に上面開放状の凹部３５を形成し、この凹部３５の奥面に係合部３６を突設するとともに、上記凹部３５の左右両側面に設けたヒンジ軸３８ａに押ボタン３８をヒンジ連結している。一方、蓋体３２の裏面の前端部に上記係合部３６に係合する係合爪３７を垂下させている。そして、開蓋時には、上記押ボタン３８を親指等で奥側に押して回動させることにより、押ボタン３８の下端部で係合爪３７を押し上げて上記係合部３６と係合爪３７との係合を外し、ついで、親指等を押ボタン３８から離して蓋体３２に移し変えたのち、この蓋体３２を後方に大きく回動させることが行われる。図において、３９は化粧料４０が収容された化粧皿である。
【０００３】
【発明が解決しようとする課題】
しかしながら、上記コンパクトでは、押ボタン３８が容器本体３１，蓋体３２と別体に作製されているため、部品点数が多く、在庫管理等の管理面が煩雑になる。しかも、押ボタン３８を容器本体３１の凹部３５に組付ける作業が必要になる。さらに、開蓋時には押ボタン３８を親指等で押して上記係合を外したのち、親指等を押ボタン３８から離して蓋体３２に移し変えなければならず、この親指等の移し変えが煩わしいうえ、この開蓋動作で中皿３３を一緒に持ち上げることができない。さらに、押ボタン３８を奥側に向かって押す際に、大きな力を水平方向にかけてしまうことがよくあり、この場合には、上記水平方向の大きな力がヒンジ軸３８ａに作用し、このヒンジ軸３８ａが早期に破損したり、がた付いたりして、耐久性に劣る。
【０００４】
この発明は、このような事情に鑑みなされたもので、在庫管理等の管理面が簡単で、しかも作業工程を少なくすることができ、さらに１連の開蓋動作で蓋体を中皿とともに開けることができ、そのうえ耐久性に優れたコンパクトの提供をその目的とする。
【０００５】
【課題を解決するための手段】
上記の目的を達成するため、この発明のコンパクトは、容器本体と、上記容器本体の上面を蓋する蓋体と、上記容器本体の後端部と蓋体の後端部をヒンジ連結するヒンジ軸と、上記容器本体と蓋体との間に配設され後端部が上記ヒンジ軸に回動自在に取付けられた中皿を備え、上記容器本体の上面に化粧料収容凹部を形成するとともに、上記中皿の上面に化粧具等の収容凹部を形成し、上記容器本体の前壁面に上面開放状の凹部を形成し、この凹部の底面を奥に向かって上り傾斜の上向きテーパ面に形成し、上記凹部の奥面に係合部を設け、蓋体の裏面の前端部に上記係合部に係合する被係合部を設け、上記中皿の前壁から、側断面略Ｓ字状に形成された弾性片を突設させ、この弾性片のＳ字状の根元側端部を上記中皿の前壁の下端部から延ばし、上記弾性片のＳ字状の根元側部分に上記蓋体の被係合部が通過しうる穴を穿設し、上記弾性片のＳ字状の前側垂下片の下端部を上記容器本体の前壁面に形成された凹部の底面に弾接させたという構成をとる。
【０００６】
【発明の実施の形態】
すなわち、この発明のコンパクトは、容器本体の前壁面に上面開放状の凹部を形成し、この凹部の底面を奥に向かって上り傾斜の上向きテーパ面に形成し、上記凹部の奥面に係合部を設けている。また、中皿の前壁から弾性片を突設させ、この弾性片の中間部に、蓋体の（上記容器本体の凹部の係合部と係合する）被係合部が通過しうる穴を穿設し、上記弾性片の下端部を上記容器本体の凹部の底面に弾接させている。そして、開蓋時には、まず中皿の弾性片を親指等で奥側に押圧する。これにより、弾性片の下端部が容器本体の凹部の底面（上り傾斜の上向きテーパ面）に沿って移動し、この移動に伴って中皿が持ち上げられるとともに蓋体も持ち上げられ、容器本体の係合部と蓋体の被係合部との係合が外れる。ついで、そのまま上記弾性片を親指等で押しながら中皿を持ち上げるようにして後方に大きく回動させることが行われる。これにより、蓋体も中皿と一緒に持ち上げられるようにして後方に回動し、蓋体および中皿が大きく開けられる。このように、この発明のコンパクトでは、中皿の前壁に突設された弾性片が、従来例における押ボタン３８と同様に作用し、この弾性片が中皿に一体形成されているため、部品点数が少なくなり、在庫管理等の管理面が簡単になる。しかも、従来例のような押ボタン３８を容器本体の組付ける作業を省略することができる。さらに、開蓋時には、弾性片を親指等で押し上げるようにして中皿を持ち上げていくだけで、蓋体をも一緒に大きく持ち上げていくことができる。そのうえ、弾性片を親指等で押す際に、大きな力が水平方向にかかることがあっても、この水平方向の大きな力は弾性片で吸収緩和されるため、ヒンジ軸にはあまり大きな力が作用せず、長期間にわたってヒンジ軸が破損したり、がた付いたりすることがなく、耐久性が大幅に向上する。
【０００７】
つぎに、この発明の実施の形態を図面にもとづいて説明する。
【０００８】
図１はこの発明の一実施の形態を示すコンパクトの側断面図である。このコンパクトは、図２に示すように、容器本体１と蓋体２と中皿３とからなる。上記容器本体１には、図３および図４に示すように、その上面に中央凹部４が形成されており、この中央凹部４には、その後部に段部４ａが形成されている。そして、この段部４ａの内側に、化粧料１４が収容された化粧料収容皿１５が収容されるとともに、上記段部４ａの上側に後述の中皿３の両ヒンジ連結部２１（図１２参照）が載置される。また、上記容器本体１には、その前壁１ａの中央部に、これを横切って切欠く状態で、上面開放状の前側凹部５が形成されている。この前側凹部５は、図５に示すように、その底面５ａの前端部が凹曲状に切欠き形成されているとともに、この切欠き部に続く底面５ａの部分が奥側に向かって上り傾斜状に湾曲する上向きテーパ面に形成されており、このテーパ面に続く奥端部が平坦面に形成されている。そして、この平坦な奥端部に、上記前側凹部５の左右両側面から所定隙間をあけた状態で縦板６が立設されており、この縦板６の上端部に係合用突条６ａが突設されている。一方、容器本体１の後壁１ｂは、その中央部が切欠き形成されており、この切欠き部の左右両側面に相対向する状態で、ヒンジ軸７（図１参照）を挿通し固定しうるヒンジ軸挿通穴８が穿設されている。
【０００９】
上記蓋体２は伏椀形状に形成されており、図６〜図８に示すように、その前壁２ａの中央部から係合爪１０が垂下しているとともに、この係合爪１０の下端部に、上記容器本体１の縦板６の係合用突条６ａに着脱自在に係合する係合用突条１０ａが突設されている。また、上記蓋体２には、その後壁２ｂの中央部からヒンジ連結部１１が垂下しており、この連結部１１における、上記容器本体１のヒンジ軸挿通穴８に対応する部分に、ヒンジ軸７を挿通し固定しうるヒンジ軸挿通穴１１ａが穿設されている。図において、１２は鏡である。
【００１０】
上記中皿３には、図９〜図１２に示すように、上面にパフ１６を収容するためのパフ収容凹部１８が形成されているとともに、その外周面に、前面中央部が切欠き形成された鍔部１９が周設されている。そして、この鍔部１９の前側切欠き部内に、この前側切欠き部の左右両側面から所定隙間をあけた状態で弾性片２０が突設されている。この弾性片２０は、図１３に示すように、上記中皿３の前壁３ａの下端部から側断面略Ｓ字状に延びており、この弾性片２０に上記蓋体２の係合爪１０が通過しうる係合爪挿通穴２０ａ（平面視で四角形の形状をした穴）が穿設されている。より詳しく説明すると、弾性片２０は、中皿３の前壁３ａの下端部から延びる左右一対の湾曲板状片２０ｃ（この湾曲板状片２０ｃの側断面形状は、波形の谷部からこれに続く山部までの間の曲線形状と略同形状であり、上記略Ｓ字状の一部をなしている）と、上面の左右両端部がそれぞれ湾曲板状片２０ｃに連結する平板状の前側垂下片２０ｂとからなり、両湾曲板状片２０ｃ間の間隔が上記蓋体２の係合爪１０が通過しうる間隔に設定されている。そして、上記弾性片２０のＳ字状の前側垂下片２０ｂの下端部が、閉蓋時に上記容器本体１の前側凹部５の底面５ａの前部に弾接するようにしている。また、上記鍔部１９は、その後面中央部が、上記蓋体２のヒンジ連結部１１が通りうる大きさに切欠き形成されており、この切欠き部１９ａの左右両側の下面に左右一対のヒンジ連結部２１が突設されている。このヒンジ連結部２１における、上記容器本体１のヒンジ軸挿通穴８に対応する部分に、ヒンジ軸７を挿通し固定しうるヒンジ軸挿通穴２１ａが穿設されている。
【００１１】
このようなコンパクトを閉蓋する場合には、図１４に示すように、容器本体１に中皿３を載置した状態で（この状態で、中皿３の弾性片２０の両湾曲板状片２０ｃの下面が容器本体１の前側凹部５の平坦な奥端部上に載置され、中皿３の両ヒンジ連結部２１の下面が容器本体１の中央凹部４の段部４ａ上に載置されている）、蓋体２を押し下げて回動させることが行われる。これにより、上記蓋体２の係合爪１０が中皿３の弾性片２０の穴２０ａを通過し、係合爪１０の係合用突条１０ａが容器本体１の縦板６の係合用突条６ａに係合する。また、開蓋する場合には、図１５に示すように、まず中皿３の前側垂下片２０ｂを奥側に押す。これにより、前側垂下片２０ｂの下端部が容器本体１の前側凹部５の底面５ａ（上り傾斜の上向きテーパ面）に沿って移動し、この移動に伴って中皿３が持ち上げられるとともに、蓋体２も持ち上げられ、その結果、両係合用突条６ａ，１０ａの係合が外れる。ついで、そのまま上記弾性片２０の前側垂下片２０ｂを親指等で押しながら中皿３を持ち上げるようにして後方に大きく回動させることが行われる。これにより、蓋体１も中皿３と一緒に持ち上げられるようにして後方に回動し、蓋体１および中皿３が大きく開けられる。
【００１２】
このように、このコンパクトは、容器本体１と蓋体２と中皿３からなり、従来例における押ボタン３８が省略されている。このため、部品点数が少なく、在庫管理等の管理面が簡単になるうえ、組付け作業が軽減される。
【００１３】
しかも、開蓋時には、弾性片２０の前側垂下片２０ｂを親指等で押すだけで、中皿３を蓋体１と一緒に持ち上げることができる。
【００１４】
さらに、弾性片２０の前側垂下片２０ｂを親指等で押す際に、大きな力を水平方向にかけてしまっても、この水平方向の大きな力を弾性片２０で吸収することができるため、ヒンジ軸７にはあまり大きな力が作用せず、耐久性が大幅に向上する。
【００１５】
なお、上記弾性片２０，２５としては、図１３に示すものに限定するものではなく、前後方向に撓むものであれば、どのような形状のものでもよい。
【００１６】
【発明の効果】
以上のように、この発明のコンパクトによれば、中皿の前壁から突設する弾性片が、従来例における押ボタン３８と同様に作用し、この弾性片が中皿に一体形成されているため、部品点数が少なくなり、在庫管理等の管理面が簡単になる。しかも、従来例のような押ボタン３８を容器本体の組付ける作業を省略することができる。さらに、開蓋時には、弾性片を親指等で押し上げるようして中皿を持ち上げていくだけで、蓋体をも一緒に大きく持ち上げていくことができる。そのうえ、弾性片を親指等で押す際に大きな力が水平方向にかかることがあっても、この水平方向の大きな力は弾性片で吸収緩和されるため、ヒンジ軸にはあまり大きな力が作用せず、長期間にわたってヒンジ軸が破損したり、がた付いたりすることがなく、耐久性が大幅に向上する。
【図面の簡単な説明】
【図１】この発明の一実施の形態を示すコンパクトの拡大断面図である。
【図２】上記コンパクトを構成する容器本体，蓋体および中皿の斜視図である。
【図３】上記容器本体の平面図である。
【図４】上記容器本体の正面図である。
【図５】上記容器本体の断面図である。
【図６】上記蓋体を下から見た図である。
【図７】上記蓋体の正面図である。
【図８】上記蓋体の断面図である。
【図９】上記中皿の平面図である。
【図１０】上記中皿の側面図である。
【図１１】上記中皿の正面図である。
【図１２】上記中皿の断面図である。
【図１３】上記中皿の部分拡大断面図である。
【図１４】上記コンパクトの作用を示す拡大断面図である。
【図１５】上記コンパクトの作用を示す拡大断面図である。
【図１６】  従来例を示す断面図である。
【符号の説明】
１  容器本体
２  蓋体
３  中皿
５  前側凹部
５ａ  底面
６  縦板
６ａ  係合用突条
７  ヒンジ軸
１０  係合爪
１０ａ  係合用突条
１６  パフ
２０  弾性片
２０ａ  穴
２０ｂ  前側垂下片
【図１】
0003729902.tif 000002
【図２】
0003729902.tif 000003
【図３】
0003729902.tif 000004
【図４】
0003729902.tif 000005
【図５】
0003729902.tif 000006
【図６】
0003729902.tif 000007
【図７】
0003729902.tif 000008
【図８】
0003729902.tif 000009
【図９】
0003729902.tif 000010
【図１０】
0003729902.tif 000011
【図１１】
0003729902.tif 000012
【図１２】
0003729902.tif 000013
【図１３】
0003729902.tif 000014
【図１４】
0003729902.tif 000015
【図１５】
0003729902.tif 000016
【図１６】
0003729902.tif 000017